(57)【特許請求の範囲】
【請求項１】
底面と側面とを有するとともに上面に開口部が設けられ内部に薬剤を収容する容器本体と、この容器本体の内部に配置されて外部との仕切りを形成する仕切り板とを備える薬剤容器おいて、
前記容器本体の前記底面上であって前記側面から離れた位置に、前記開口部の高さ位置よりも短い長さからなる複数の支柱を立設する一方、前記仕切り板の下面に前記支柱に対応する複数の係合穴を設け、前記支柱の上端部を前記係合穴に挿入して係合し前記仕切り板を支持した状態で前記容器本体内に固定するとともに、
前記容器本体の内部であって前記仕切り板の下面側にゲル状の薬剤を収容したことを特徴とする薬剤容器。
【請求項２】
前記仕切り板に、複数の貫通状の穴を更に設けたことを特徴とする請求項１記載の薬剤容器。
【発明の詳細な説明】
【０００１】
【発明の属する技術分野】
本発明は、芳香剤、消臭剤、脱臭剤等の薬剤を収容する薬剤容器に関する。
【０００２】
【従来の技術】
従来、芳香剤、消臭剤、脱臭剤等の薬剤を収容する薬剤容器は、一般的に内部に薬剤を収容する容器本体と、この容器本体に着脱可能に取り付けられた蓋とを備えている。容器本体には上部に開口部が設けられており、蓋には複数の穴が設けられている。そして、薬剤を収容した薬剤容器を室内等に配置することにより蓋の穴から薬剤が外部に揮散して芳香効果や消臭効果を与えたり、脱臭剤による脱臭効果を与えている。また、薬剤には、容器が倒れても外部に漏れ出さないように固形状やゲル状のものが用いられている。
【０００３】
【発明が解決しようとする課題】
しかしながら、このような薬剤容器では、容器本体内に固形状やゲル状の薬剤を収容した場合には、乳幼児や老人が食べ物と勘違いして薬剤を誤って食べてしまう問題があった。特に、前記薬剤容器を、容器本体内にゲル状薬剤を収容して冷蔵庫や冷凍庫用の脱臭剤容器等として使用した場合には、脱臭剤容器が食べ物と一緒に収容される状態となることから、ゲル状薬剤が食べ物と勘違いされやすくなり、このため薬剤の誤食が重要な問題となっていた。
【０００４】
本発明は、かかる従来の課題に鑑みてなされたものであり、収容される薬剤の誤食を防止することができる薬剤容器を提供することを目的とする。
【０００５】
【課題を解決するための手段】
前記課題を解決するために本発明の請求項１記載の薬剤容器では、底面と側面とを有するとともに上面に開口部が設けられ内部に薬剤を収容する容器本体と、この容器本体の内部に配置されて外部との仕切りを形成する仕切り板とを備える薬剤容器おいて、前記容器本体の前記底面上であって前記側面から離れた位置に、前記開口部の高さ位置よりも短い長さからなる複数の支柱を立設する一方、前記仕切り板の下面に前記支柱に対応する複数の係合穴を設け、前記支柱の上端部を前記係合穴に挿入して係合し前記仕切り板を支持した状態で前記容器本体内に固定するとともに、前記容器本体の内部であって前記仕切り板の下面側にゲル状の薬剤を収容した。
【０００６】
かかる構成においては、支柱の上端部を仕切り板の下面に設けられた係合穴に係合させることにより仕切り板が容器本体内で固定されて取り外しにくくなるため、仕切り板と容器本体との間に固形状やゲル状の薬剤を収容しておくことで、これらの薬剤が取り出されるのを防ぐことができる。
【０００７】
また、請求項２記載の薬剤容器においては、前記仕切り板に、複数の貫通状の穴を更に設けたものとしている。
【００１７】
【発明の実施の形態】
以下、本発明の一実施の形態を図にしたがって説明する。
【００１８】
図１は、冷凍庫用の脱臭剤容器１の分解図である。この容器１は、容器本体２と、容器本体２の外部との仕切りを形成する仕切り板３と、容器本体２に着脱可能に装着される蓋４とから構成されている。
【００１９】
容器本体２は透明のプラスチック製からなる四角形状であって、図２（Ａ）及び（Ｂ）に示すように上面２１に開口部２２が設けられている。容器本体２の内部２３には、底面２４から各側面２５に沿って上方に延出する複数の縦リブ２６が設けられている。
【００２０】
さらに、図３にも示すように、容器本体２の各側面２５の内側には、中央の縦リブ２６の上部に、容器本体２の側面２５から内側方向２ａに向かって湾曲した突起２７がそれぞれ設けられている。したがって、側面２５と中央に位置する縦リブ２６と突起２７とにより本発明の係合部である凹部２８が構成されており、各凹部２８は容器本体２内で相対向して設けられている。
【００２１】
また、前記仕切り板３は半透明のプラスチック製であって、大きさが容器本体２の開口部２２とほぼ同じ大きさであり、図４に示すように本発明の開口部として複数の丸穴３１が設けられている。また、前記蓋４も仕切り板３と同様に半透明のプラスチック製であり、図５に示すように、一端側に丸穴４１が設けられ、この丸穴４１に隣接して長手方向に並列した複数のスリット４２が設けられている。
【００２２】
かかる構成において出荷する際には、図６や図７に示すように、容器本体２の内部２３において凹部２８より下の位置にゲル状の脱臭剤５を入れた後、容器本体２を外側方向に押し広げて開口部２２から仕切り板３を内部に入れ、周縁部３２を各凹部２８に合わせて係合させる。
【００２３】
このとき、図７に示すように、凹部２８の上部を構成する突起２７は、その内側方向２ａへの長さ寸法２７ｗが、凹部２８の下部を構成する縦リブ２６の内側方向２ａへの長さ寸法２６ｗよりも短く設定されている。
【００２４】
このため、例えば、突起２７の長さ寸法２７ｗと縦リブ２６の長さ寸法２６ｗとが同じである場合や、突起２７の長さ寸法２７ｗより縦リブ２６の長さ寸法２６ｗの方が長い場合に比べて、凹部２８より上側、すなわち開口部２２側の空間が広がるため凹部２８に仕切り板３の周縁部３２が入れやすくなり、凹部２８に仕切り板３を容易に係合させることができる。
【００２５】
さらに、突起２７の外面２７ａが容器本体２の側面２５から内側方向２ａに向かって湾曲状に形成されていることから、仕切り板３の周縁部を凹部２８に入れる際に突起２７との接触面積が少なくなって凹部２８により入れやすくなり、凹部２８に仕切り板３をさらに容易に係合させることができる。したがって、凹部２８の上部をこの突起２７で構成することによって容器１の組立作業を効率良く行うことができる。
【００２６】
そして、凹部２８に仕切り板３の周縁部が係合されることにより、仕切り板３が容器本体２の内側にはめ込まれるとともに複数のリブ２６によって支持され、これによって容器本体２の外部との仕切りが形成される。仕切り板３を取り付けた後は、開口部２２の縁にアルミ箔等の気密シート（図示せず）を貼着して、蓋４を容器本体２に取り付ける。
【００２７】
使用する際には、蓋４を外して前記気密シートを剥がした後、再度蓋４を取り付けて冷凍庫等に配置する。これにより、容器本体２内の脱臭剤が蓋４の丸穴４１及びスリット４２と、仕切り板３の丸穴３１とを介して冷凍庫内等の悪臭を脱臭することによって、冷凍庫内の空気を清潔な状態に保つことが可能となっている。
【００２８】
そして、容器１の使用状態においては、図６及び図７で示したように、仕切り板３が容器本体２の内側ではめ込まれた状態となっている。これにより、仕切り板３が本体２内で固定されて取り外しにくくなっているため、内部２３に収容された脱臭剤５が取り出されてしまうのを防ぐことができる。よって、本脱臭剤容器１では、収容される脱臭剤５の誤食を防止することができる。
【００２９】
また、凹部２８は、図７に示すように、仕切り板３の上面３３が容器本体２の上面２１よりも下側に位置するように容器本体２の内部２３に設けられていることから、この凹部２８に係合した仕切り板３は、全体が容器本体２の内部２３で固定されている。このため、仕切り板３をより取り外しにくくすることができる。よって、脱臭剤５の誤食をさらに防止することができる。
【００３０】
また、容器本体２に設けられた縦リブ２６は、凹部２８の下部を構成する構成部材の他に容器本体２の補強材も兼ねている。このため、容器本体２を補強しつつ脱臭剤５の誤食を防止することもでき、また部品点数を減らして製造コストの低減化も図ることができる。
【００３１】
なお、薬剤容器として脱臭剤５を容器本体２内に収容する脱臭剤容器１の場合について説明したが、芳香剤や消臭剤等を容器本体内に収容する薬剤容器について本発明を適用した場合であっても、同様の効果を得ることができる。
【００３２】
また、薬剤容器に収容する薬剤として、脱臭剤の他に、芳香剤、消臭剤、防虫剤等を使用することができる。また、ゲル状の薬剤の他に性状が異なる薬剤として、仕切り板３の丸穴３１よりも大きいものであれば、固形状の薬剤を使用したり、液状の薬剤を適当な担持体に担持させたものを使用しても良い。
【００３３】
また、本発明の仕切り部として仕切り板３を用いたが、仕切り板３の代わりに網を使用しても良い。また、仕切り板３の開口部として丸穴３１を設けたが、これに限定されることはなく、容器本体２内に収容される脱臭剤が粒状である場合には丸穴３１の穴径を粒径より小さくなるように設定し、また仕切り板３にスリットを設けても良い。
【００３４】
図８（Ａ）は、薬剤容器６０の斜視図である。この薬剤容器６０は、内部６１に薬剤（図示せず）を収容し上面６２に開口部６３が設けられた容器本体６４と、複数の丸穴６５ａを有し容器本体６４の外部との仕切りを形成する仕切り板６５とから構成されている。
【００３５】
また、図８（Ｂ）にも示すように、容器本体６４の各側面６６の内側において上部の中央部に突起６７ｘ，６７ｙが上下に離間して設けられている。したがって、側面６６と両突起６７ｘ，６７ｙとにより本発明の係合部である凹部６８が構成されており、各凹部６８は容器本体６４内で相対向して設けられている。
【００３６】
そして、この凹部６８に仕切り板６５の周縁部６９が係合されて仕切り板６５が容器本体６４の内側にはめ込まれ、これによって容器本体６４の外部との仕切りが形成されている。
【００３７】
この結果、仕切り板６５が容器本体６４内で固定されて取り外しにくくなっているため、内部６１に収容された薬剤が取り出されてしまうのを防ぐことができる。よって、薬剤容器６０においても、薬剤の誤食を防止することができる。
【００３８】
なお、両突起６７ｘ，６７ｙを容器本体６４の各側面６６の内側上部の中央部に設けて凹部６８を構成したが、これに限定されることはなく、例えば両突起６７ｘ，６７ｙを各側面６６の内側上部の全体に渡って設けることによって凹部を構成しても良い。
【００３９】
また、両突起６７ｘ，６７ｙにおいて、上側の突起６７ｘまたは下側の突起６７ｙの何れか一方を側面６６の内側上部全体に渡って設け、上側の突起６７ｘまたは下側の突起６７ｙの何れか他方を側面６６の内側上部の任意の箇所に設けることによって凹部を構成しても良い。
【００４０】
また、凹部６８の上部を構成する上側の突起６７ｘは、その外面６７ａが側面６６から容器本体６４の内側方向６４ａに向かって斜め下方に延在するように形成されている。これにより、凹部６８より上側の空間が広がるため、凹部６８に仕切り板６５を容易に係合させることができる。よって、薬剤容器６０の組立作業を効率良く行うことができる。
【００４１】
図９（Ａ）は、薬剤容器７０の斜視図である。この薬剤容器７は、内部７１に薬剤（図示せず）を収容し上面７２に開口部７３が設けられた容器本体７４と、複数の丸穴７５ａを有し容器本体７４の外部との仕切りを形成する仕切り板７５とから構成されている。
【００４２】
また、図９（Ｂ）にも示すように、容器本体７４の各側面７６の内側において上部に四角形状の溝７７が形成されている。したがって、この溝７７によって本発明の係合部である凹部が構成されており、各溝７７は容器本体７４内で相対向して設けられている。
【００４３】
また、仕切り板７５には、周縁部において各溝７７に対応する位置に外側に向かって突出した突起７８が設けられており、各突起７８が対応する溝７７にそれぞれ係合されて仕切り板７５が容器本体７４の内側にはめ込まれ、これによって容器本体７４の外部との仕切りが形成されている。
【００４４】
この結果、仕切り板７５が容器本体７４内で固定されて取り外しにくくなっているため、内部７１に収容された薬剤が取り出されてしまうのを防ぐことができる。よって、薬剤容器７０においても、薬剤の誤食を防止することができる。
【００４５】
なお、溝７７を容器本体７４の各側面７６の内側上部の任意の箇所に設けたが、これに限定されることはなく、例えば溝７７を各側面７６の内側上部の全体に渡って設けるようにしても良い。この場合には、仕切板７５の周縁部全体に渡って突起７８を設けることが可能となるため、仕切板７５と容器本体７４との係合箇所が増加して仕切板７５をさらに取り外しにくくすることができ、薬剤の誤食防止効果を高めることができる。
【００４６】
図１０（Ａ）は、薬剤容器８０の斜視図である。この薬剤容器８は、内部８１に薬剤（図示せず）を収容し上面８２に開口部８３が設けられた容器本体８４と、複数の丸穴８５ａを有し容器本体８４の外部との仕切りを形成する仕切り板８５とから構成されている。
【００４７】
また、図１０（Ｂ）に示すように容器本体８４の後方の側面８６の上部８７が外側方向８４ａに屈曲形成されており、側面８６の下部に連設して上下方向に延在する連設部８８と、連設部８８の上端から外側方向Ｙに屈曲した屈曲部８９と、屈曲部８９の上端から上方に延出した延出部９０とから構成されている。
【００４８】
さらに、延出部９０の内側には、屈曲部８９から離間して突起が９１が設けられており、この突起９１と屈曲部８９とにより本発明の係合部である凹部９２が構成されている。そして、この凹部９２に仕切り板８５の周縁部８５ａが係合されて仕切り板８５が容器本体８４の内側にはめ込まれ、これによって容器本体８４の外部との仕切りが形成されている。
【００４９】
この結果、仕切り板８５が容器本体８４内で固定されて取り外しにくくなっているため、内部８１に収容された薬剤が取り出されてしまうのを防ぐことができる。よって、薬剤容器８０においても、薬剤の誤食を防止することができる。
【００５１】
図１１（Ａ）は、本発明の一実施の形態を示す薬剤容器１００の斜視図である。この薬剤容器１００は、内部１０１に薬剤（図示せず）を収容し上面１０２に開口部１０３が設けられた容器本体１０４と、複数の貫通穴である丸穴１０５ａを有し容器本体１０４の外部との仕切りを形成する仕切り板１０５とから構成されている。
【００５２】
本実施の形態では（Ｂ）にも示すように容器本体１０４の内部１０１において底面１０６に、複数の支柱１０７が側面１０８と平行に、かつ側面１０８から離れた位置に起立して設けられている。また、仕切り板１０５には、各支柱１０７に対応して複数の係合穴１０９が設けられている。また、この係合穴１０９と前記丸穴１０５ａとを兼用して設けても良い。
【００５３】
そして、仕切り板１０５の各係合穴１０９にそれぞれ支柱１０７の上端部１０７ａが挿入されて係合することにより、仕切り板１０５が容器本体１０４の内側にはめ込まれるとともに支持され、これによって容器本体１０４の外部との仕切りが形成されている。
【００５４】
この結果、仕切り板１０５が容器本体１０４内で固定されて取り外しにくくなっているため、内部１０１に収容された薬剤が取り出されてしまうのを防ぐことができる。よって、本実施の形態の薬剤容器１００においても、薬剤の誤食を防止することができる。
【００５５】
【発明の効果】
以上説明したように本発明の薬剤容器においては、容器本体の側面から離れた位置に立設された支柱の上端部を、仕切り板の下面に設けられた係合穴に係合させることにより、仕切り板が容器本体内で固定されて取り外しにくくなるため、仕切り板と容器本体との間に固形状やゲル状の薬剤を収容しておくことで、これらの薬剤が取り出されるのを防ぐことができる。よって、薬剤の誤食を防止することができる。
【００５７】
また、請求項２記載の薬剤容器においては、前記仕切り板に複数の貫通穴が設けられているので、脱臭剤を収容しておくことで、冷凍庫内等の悪臭を脱臭し、冷凍庫内の空気を清潔な状態に保つことが可能となる。
【図面の簡単な説明】
【図１】  脱臭剤容器の分解図である。
【図２】  （Ａ）は容器本体の平面図、（Ｂ）は（Ａ）のＣ−Ｃ線に沿う断面図である。
【図３】  図３（Ｂ）におけるＤ部の拡大図である。
【図４】  仕切り板の平面図である。
【図５】  蓋の平面図である。
【図６】  （Ａ）は容器本体に仕切り板を係合させた状態での平面図、（Ｂ）は（Ａ）のＣ−Ｃ線に沿う断面図である。
【図７】  図６（Ｂ）におけるＤ部の拡大図である。
【図８】  （Ａ）は薬剤容器の斜視図であり、（Ｂ）は仕切り板と凹部との係合状態を示す断面図である。
【図９】  （Ａ）は薬剤容器の斜視図であり、（Ｂ）は仕切り板と溝との係合状態を示す断面図である。
【図１０】  （Ａ）は薬剤容器の斜視図であり、（Ｂ）は仕切り板と凹部との係合状態を示す断面図である。
【図１１】  （Ａ）は本発明の一実施の形態を示す薬剤容器の斜視図であり、（Ｂ）は仕切り板と支柱との係合状態を示す断面図である。
【符号の説明】
１００  薬剤容器
１０１  内部
１０２  上面
１０３  開口部
１０４  容器本体
１０５  仕切り板
１０５ａ  丸穴
１０６  底面
１０７  支柱
１０８  側面
【図１】
0004454836.tif 000002
【図２】
0004454836.tif 000003
【図３】
0004454836.tif 000004
【図４】
0004454836.tif 000005
【図５】
0004454836.tif 000006
【図６】
0004454836.tif 000007
【図７】
0004454836.tif 000008
【図８】
0004454836.tif 000009
【図９】
0004454836.tif 000010
【図１０】
0004454836.tif 000011
【図１１】
0004454836.tif 000012